(57)【要約】【課題】パネルの明室コントラストを向上させると共に、輝度が維持されるプラズマディスプレイ装置を提供する。【解決手段】本発明は、プラズマディスプレイ装置に関するものであって、プラズマディスプレイパネルに形成されるフィルタは、ベース部と、ベース部の上に形成されるパターン部を含む外光遮断シートとを備え、パネルに電極と前記パターン部との間の角は５度以下であることを特徴とする。【選択図】図１
2008203823.tif 000002
【特許請求の範囲】
【請求項１】
相互結合された第１基板と第２基板から構成されたプラズマディスプレイパネル（ＰＤＰ）と、
前記ＰＤＰの全面に形成されるフィルタとを含み、
前記フィルタは、ベース部と、前記ベース部の上に形成される複数のパターン部とを含む外光遮断シートとを備え、
前記フィルタに隣接する前記基板に形成された電極と、前記パターン部の間の角は５度以下であることを特徴とするプラズマディスプレイ装置。
【請求項２】
前記電極と前記パターン部の間の角は０．１５〜３．５度であることを特徴とする請求項１記載のプラズマディスプレイ装置。
【請求項３】
前記電極と前記パターン部の間の角は０．１５〜３．５度であることを特徴とする請求項１記載のプラズマディスプレイ装置。
【請求項４】
前記パターン部の下段幅は前記電極の幅の０．２〜０．５倍であることを特徴とする請求項１記載のプラズマディスプレイ装置。
【請求項５】
前記パターン部の屈折率は、前記ベース部の屈折率の０．３〜１倍であることを特徴とする請求項１記載のプラズマディスプレイ装置。
【請求項６】
前記パターン部の屈折率は、前記ベース部の屈折率より大きいことを特徴とする請求項１記載のプラズマディスプレイ装置。
【請求項７】
前記パターン部の屈折率は、前記ベース部の屈折率の１．０〜１．３倍であることを特徴とする請求項１記載のプラズマディスプレイ装置。
【請求項８】
前記パターン部の下段幅は、前記パターン部の上段幅より大きくて、
前記パターン部の上段は上記パターン部の下段より上記ＰＤＰに一層近いことを特徴とする請求項１記載のプラズマディスプレイ装置。
【請求項９】
前記外光遮断シートの厚さは、前記パターン部の高さの１．０１〜２．２５倍であることを特徴とする請求項１記載のプラズマディスプレイ装置。
【請求項１０】
相互結合された第１基板と第２基板から構成されたプラズマディスプレイパネル（ＰＤＰ）と、
前記ＰＤＰの全面に形成されるフィルタとを含み、
前記フィルタは、ベース部と、前記ベース部の上に形成される複数のパターン部を含む外光遮断シートとを備え、
前記第２基板は、複数の電極及び前記電極等に交差する複数の横隔壁を含み、
前記横隔壁と前記パターン部の間の角は５度以下であることを特徴とするプラズマディスプレイ装置。
【請求項１１】
前記横隔壁と前記パターン部の間の角は０．１５〜５度であることを特徴とする請求項１０記載のプラズマディスプレイ装置。
【請求項１２】
前記横隔壁と前記パターン部の間の角は１．５〜３．５度であることを特徴とする請求項１０記載のプラズマディスプレイ装置。
【請求項１３】
前記第２基板は、前記横隔壁に交差する複数の縦隔壁等を含み、
前記パターン部の下段幅は、前記縦隔壁等の上段幅の０．３〜０．８倍であることを特徴とする請求項１０記載のプラズマディスプレイ装置。
【請求項１４】
前記パターン部の屈折率は前記ベース部の屈折率より大きいことを特徴とする請求項１０記載のプラズマディスプレイ装置。
【請求項１５】
前記パターン部の屈折率は、前記ベース部の屈折率の１．０〜１．３倍であることを特徴とする請求項１０記載のプラズマディスプレイ装置。
【請求項１６】
前記パターン部の下段幅は前記パターン部の上段幅より大きくて、
前記パターン部の上段は前記パターン部の下段より上記ＰＤＰに一層近いことを特徴とする請求項１０記載のプラズマディスプレイ装置。
【請求項１７】
前記外光遮断シートの厚みは、前記パターン部の高さの１．０１〜２．２５倍であることを特徴とする請求項１０記載のプラズマディスプレイ装置。
【請求項１８】
ベース部と、
前記ベース部の上に形成されるパターン部を含む外光遮断シートとを備え、
前記ディスプレイパネルに形成される複数の電極と複数の横隔壁のうち、少なくとも１つと、前記パターン部の間の角は５度以下であることを特徴とするフィルタ。
【請求項１９】
前記ディスプレイパネルに形成される前記複数の電極と前記複数の横隔壁のうち、少なくとも１つと、前記パターン部の間の前記角は０．１５〜５度であることを特徴とする請求項１８記載のフィルタ。
【請求項２０】
前記ディスプレイパネルに形成される１つの電極と１つの横隔壁のうち、少なくとも１つと、前記パターン部の間の角は１．５〜３．５度であることを特徴とする請求項１８記載のフィルタ。
【発明の詳細な説明】
【技術分野】
【０００１】
本発明は、プラズマディスプレイ装置に関し、特にパネルの外部から入射される外光を遮断させるために、外光遮断シートを製作してパネルの全面に貼り付けることで、パネルの明室コントラスト（contrast）を向上させると共に、輝度が維持されるプラズマディスプレイ装置に関する。
【背景技術】
【０００２】
一般に、プラズマディスプレイパネル（Plasma Display Panel）は、放電空間に設けられた電極に所定の電圧を印加して放電を起こし、ガス放電時に発生するプラズマが蛍光体を励起させることによって、文字またはグラフィックを含んだ画像を表示する装置であって、大型化、軽量化、及び平面薄型化が容易であり、上下左右に広い視野角を提供し、フルカラー及び高輝度の具現が可能であるという長所がある。
【０００３】
このようなプラズマディスプレイパネルは、ブラック（Black）映像を具現する際、パネルの下板に露出している白色系統の蛍光体により外部光がパネルの全面で反射されることで、ブラック映像が明るい系列の暗い色と認知されてコントラストが低下する問題点がある。
【発明の開示】
【発明が解決しようとする課題】
【０００４】
本発明は、パネルの明室コントラストを向上させると共に、輝度が維持されるプラズマディスプレイ装置を提供することをその目的とする。
【課題を解決するための手段】
【０００５】
本発明によるプラズマディスプレイ装置は、相互連結された第１基板と第２基板を備えたプラズマディスプレイパネルと、上記パネルの全面に形成されるフィルタとを含み、上記フィルタは、ベース部と、上記ベース部の上に形成される複数のパターン部を含む外光遮断シートとを備え、上記フィルタに隣接した上記基板に形成された複数の電極と上記パターン部の間の角は５度以下であることを特徴とする。
【０００６】
本発明による他のプラズマディスプレイ装置は、上記第２基板は、複数の電極及び上記電極に交差する方向に形成された複数の横隔壁を含み、上記横隔壁と上記パターン部の間の角は５度以下であることを特徴とする。
【０００７】
本発明によるフィルタは、ベース部と、上記ベース部の上に形成されるパターン部を含む外光遮断シートとを備え、上記パターン部と上記ディスプレイパネルに形成された電極等の間の角は５度以下であることを特徴とする。
【０００８】
本発明による更に他のフィルタは、ベース部と、上記ベース部の上に形成されるパターン部を含む外光遮断シートとを備え、上記パターン部と上記ディスプレイパネルに形成された横隔壁の間の角は５度以下であることを特徴とする。
【発明の効果】
【０００９】
上記のように構成される本発明のプラズマディスプレイ装置は、外部から入射される光を最大限吸収及び遮断する外光遮断シートがパネルの全面に貼り付けられることで、ブラック映像を効果的に具現し、明室コントラストを改善することができる。また、外光遮断シートのパターンをパネルに形成された電極または隔壁と所定の角を有するように傾けて形成することによって、モアレ現状の発生を減少させることができる。
【発明を実施するための最良の形態】
【００１０】
以下、本発明の望ましい実施形態を添付した図１乃至図１０Ｂを参照しつつ詳細に説明する。図１は、本発明によるプラズマディスプレイパネルに対する一実施形態を斜視図にて図示したものである。
【００１１】
図１に示すように、プラズマディスプレイパネルは、上部基板１０の上に形成される維持電極対であるスキャン電極１１及びサステイン電極１２、下部基板２０の上に形成されるアドレス電極２２を含む。
【００１２】
上記維持電極対１１、１２は、通常、インジウムチンオキサイド（Indium-Tin-Oxide：ＩＴＯ）で形成された透明電極１１ａ、１２ａとバス電極１１ｂ、１２ｂを含み、バス電極１１ｂ、１２ｂは、銀（Ａｇ）、クロム（Ｃｒ）などの金属、またはクロム／銅／クロム（Ｃｒ／Ｃｕ／Ｃｒ）の積層型や、クロム／アルミニウム／クロム（Ｃｒ／Ａｌ／Ｃｒ）の積層型で形成されることができる。バス電極１１ｂ、１２ｂは、透明電極１１ａ、１２ａの上に形成されて、抵抗の高い透明電極１１ａ、１２ａによる電圧降下を減らす役割をする。
【００１３】
一方、本発明の一実施形態によれば、維持電極対１１、１２は、透明電極１１ａ、１２ａとバス電極１１ｂ、１２ｂが積層された構造のみならず、透明電極１１ａ、１２ａなしにバス電極１１ｂ、１２ｂだけでも構成されることができる。このような構造は、透明電極１１ａ、１２ａを使用しないので、パネル製造のコストを低めることができる長所がある。このような構造に使われるバス電極１１ｂ、１２ｂは、上記した材料の以外に、感光性材料等、多様な材料が使用可能である。
【００１４】
スキャン電極１１及びサステイン電極１２の透明電極１１ａ、１２ａとバス電極１１ｂ、１１ｃとの間には、上部基板１０の外部で発生する外部光を吸収して反射を減らしてくれる光遮断の機能と上部基板１０のピュリティ（Purity）及びコントラストを向上させる機能をするブラックマトリックス（Black Matrix：ＢＭ）１５が配列される。
【００１５】
本発明の一実施形態によるブラックマトリックス１５は上部基板１０に形成されるが、隔壁２１と重畳される位置に形成される第１ブラックマトリックス１５と、透明電極１１ａ、１２ａとバス電極１１ｂ、１２ｂとの間に形成される第２ブラックマトリックス１１ｃ、１２ｃから構成されることができる。ここで、第１ブラックマトリックス１５とブラック層、またはブラック電極層ともいう第２ブラックマトリックス１１ｃ、１２ｃは、形成過程で同時に形成されて物理的に相互に連結できることもあり、同時に形成されなくて物理的に相互に連結できないこともある。
【００１６】
また、相互物理的に連結されて形成される場合、第１ブラックマトリックス１５と第２ブラックマトリックス１１ｃ、１２ｃは、同一な材質で形成されるが、物理的に分離されて形成される場合には異なる材質で形成してもよい。
【００１７】
スキャン電極１１とサステイン電極１２が並んで形成された上部基板１０には、上部誘電体層１３と保護膜１４が積層される。上部誘電体層１３には放電により発生された荷電粒子が蓄積され、維持電極対１１、１２を保護する機能を遂行することができる。保護膜１４は、ガス放電時に発生された荷電粒子のスパッタリングから上部誘電体層１３を保護し、２次電子の放出効率を上げることになる。
【００１８】
また、アドレス電極２２は、スキャン電極１１及びサステイン電極１２と交差する方向に形成される。また、アドレス電極２２が形成された下部基板２０の上には下部誘電体層２４と隔壁２１が形成される。
【００１９】
また、下部誘電体層２４と隔壁２１の表面には蛍光体層２３が形成される。隔壁２１は複数の縦隔壁２１ａと複数の横隔壁２１ｂが閉鎖型で形成され、放電セルを物理的に区分し、放電により生成された紫外線と可視光が隣接した放電セルに漏洩されることを防止することができる。
【００２０】
図１を参照すれば、本発明によるプラズマディスプレイパネルの全面にはフィルタ１００が形成されることが望ましくて、フィルタ１００には外光遮断シート、ＡＲ（Anti-Reflection）シート、ＮＩＲ（Near Infrared）遮蔽シート、ＥＭＩ（Electro Magnetic Interference）遮蔽シート、拡散シート、及び光特性シートなどが含まれることができる。
【００２１】
フィルタ１００と上記パネルとの間の間隔が１０〜３０μｍである時、外部から入射される光を効果的に遮断することができ、上記パネルで発生される光を外部に効果的に放出することができる。また、外部からの圧力などから上記パネルを保護するために、フィルタ１００と上記パネルとの間の間隔を３０〜１２０μｍにすることができ、衝撃の防止のためにフィルタ１００と上記パネルとの間に衝撃吸収の機能を有する粘着層を形成することもできる。
【００２２】
本発明の一実施形態には、図１に図示された隔壁２１の構造だけでなく、多様な形状の隔壁２１の構造も可能である。例えば、縦隔壁２１ａと横隔壁２１ｂの高さが異なる差等型隔壁構造、縦隔壁２１ａ、または横隔壁２１ｂのうち、少なくとも一つ以上に排気通路として使用可能なチャネル（Channel）が形成されたチャネル型隔壁構造、縦隔壁２１ａ、または横隔壁２１ｂのうち、一つ以上に溝（Hollow）が形成された溝型隔壁構造などが可能である。
【００２３】
ここで、差等型隔壁構造の場合には、横隔壁２１ｂの高さが縦隔壁２１ａの高さより高いものが望ましく、チャネル型隔壁構造や溝型隔壁構造の場合には、横隔壁２１ｂにチャネルが形成されるか、溝が形成されることが望ましい。
【００２４】
一方、本発明の一実施形態では、Ｒ、Ｇ及びＢ放電セルの各々が同一線上に配列されることと図示及び説明されているが、他の形状で配列されることもできる。例えば、Ｒ、Ｇ及びＢ放電セルが三角形状で配列されるデルタ（Delta）タイプの配列も可能である。また、放電セルの形状も四角形状だけでなく、五角形、六角形などの多様な多角形状も可能である。
【００２５】
また、蛍光体層２３は、ガス放電時に発生された紫外線により発光されて赤色（Ｒ）、緑色（Ｇ）、または青色（Ｂ）のうち、どれか一つの可視光を発生することになる。ここで、上部／下部基板１０、２０と隔壁２１との間に設けられた放電空間には放電のためのＨｅ＋Ｘｅ、Ｎｅ＋Ｘｅ、及びＨｅ＋Ｎｅ＋Ｘｅなどの不活性混合ガスが注入される。
【００２６】
図２Ａは、本発明によるフィルタに備えられる外光遮断シート構造に対する一実施形態を断面図にて図示したものであって、外光遮断シートはベース部２００及びパターン部２１０を含んでなる。
【００２７】
ベース部２００は、光が円滑に透過できるように、透明なプラスチック材質、例えば紫外線（ＵＶ）硬化方式により形成された樹脂（Resin）系列の物質からなることが望ましくて、パネルの全面を保護する効果を上げるために、硬いガラス（Glass）材質が使われることもできる。
【００２８】
図２Ａを参照すれば、パターン部２１０の形状は三角形であることができ、その以外に種々の形状を有することもできる。パターン部２１０は、ベース部２００より暗い色の物質で形成され、望ましくは黒色の物質からなる。例えば、パターン部２１０は、カーボン（carbon）系列の物質で形成するか、黒色の染料を塗布して外光を吸収する効果を極大化することができる。
【００２９】
図２Ａにおいて、外光遮断シートの下段がパネル側であり、外光遮断シートの上段が外光が入射される観察者側である。外部光源はパネルの上側に位置することが一般的であるので、外光は上側から斜めにパネルに入射されることができる。
【００３０】
上記外光を吸収して遮断し、パネルから放出される可視光を全反射してパネル光の反射率を上げるために、パターン部２１０の屈折率、少なくともパターン部２１０の一部分である斜面の屈折率はベース部２００の屈折率より小さなものが望ましい。
【００３１】
また、パターン部２１０は、光吸収粒子を含むことができ、光吸収粒子は特定色で着色された樹脂粒子でありうる。光吸収効果を最大化するために、光吸収粒子は黒色で着色されることが望ましい。
【００３２】
光吸収粒子の製造及びパターン部２１０の内部への添加が容易であり、外光を吸収する効果を最大化するために、光吸収粒子の大きさは１μｍ以上でありうる。また、光吸収粒子の大きさが１μｍ以上の場合、パターン部２１０に屈折する外光を効果的に吸収するために、パターン部２１０は光吸収粒子を１０重量％以上含むことができる。即ち、パターン部２１０の全体重量の１０％以上の重量の光吸収粒子がパターン部２１０に含まれることができる。
【００３３】
図２Ｂは、外光遮断シートの外光遮断及びパネル光反射機能を説明するために、本発明の一実施形態による外光遮断シートの構造を断面図にて図示したものである。
【００３４】
前述したように、プラズマディスプレイパネルの明室コントラストを低下させる外光はパネルの上側に位置する場合が多い。図２Ｂを参照すれば、スネル（snell）の法則により、外光遮断シートに斜めに入射される外光（破線で表示される）は、ベース部３００より小さな屈折率を有するパターン部３１０の内部に屈折して吸収される。パターン部３１０の内部に屈折する外光は光吸収粒子により吸収することができる。
【００３５】
また、ディスプレイのためにパネル３２０から外部に放出される光（実線で表示される）は、パターン部３１０の斜面で全反射されて観察者側である外部に反射されることになる。
【００３６】
前述したように、外光（破線で表示される）はパターン部３１０に屈折して吸収され、パネル３２０から放出される光（実線で表示される）はパターン部３１０で全反射される理由は、図２Ｂに示すように、パネル３２０光がパターン部３１０の斜面となす角より外光がパターン部３１０の斜面となす角が大きいためである。
【００３７】
したがって、本発明による外光遮断シートは、外光が観察者側に反射しないように外光を吸収し、パネル３２０から放出される光の反射量を上げることによって、ディスプレイ映像の明室コントラストを向上させる。
【００３８】
パネル３２０に入射される外光の角度を考慮して外光の吸収及びパネル３２０光の全反射を最大化するためには、パターン部３１０の屈折率はベース部３００の屈折率の０．３倍以上１倍未満のものが望ましい。パネル３２０から放出される光がパターン部３１０の斜面で全反射されることを最大化するために、プラズマディスプレイパネルの上下視野角を考慮すれば、パターン部３１０の屈折率はベース部３００の屈折率の０．３〜０．８倍であることが望ましい。
【００３９】
パターン部３１０の屈折率がベース部３００の屈折率より小さければ、パネル３２０から放出される光はパターン部３１０の表面から反射されて、使用者側に広がり、結局、不明確で、かつ不明瞭な映像、即ちゴースト（ghost）現象が発生することになる。
【００４０】
パターン部３１０の屈折率がベース部３００の屈折率より大きければ、パターン部３１０に入射する外光とパネル３２０から放出される光が全てパターン部３１０により吸収される。したがって、ゴースト現状の発生可能性を減少させることができる。 
【００４１】
パネル光をできる限りたくさん吸収してゴースト現象を防止するためには、パターン部３１０の屈折率はベース部３００の屈折率より０．０５倍以上であることが望ましい。
【００４２】
パターン部３１０の屈折率がベース部３００の屈折率より大きい時、外光遮断シートの透過性とコントラストが減少することができる。ゴースト現象を防止しながら外光遮断シートの透過性とコントラストを格段に減少させないためには、パターン部３１０の屈折率はベース部３００の屈折率の０．０５〜０．３倍大きいことが望ましい。また、ゴースト現象を防止しながらパネル３２０のコントラストを均一に維持するためには、パターン部３１０の屈折率はベース部３００の屈折率より１．０〜１．３倍大きいことが望ましい。
【００４３】
図２Ｂはパターン部３１０の下段がパネル３２０に向ける時の状況を例示する。しかしながら、パターン部３１０の下段は使用者に向かうこともでき、パターン部３１０の上段はパネル３２０に向けることもできる。この場合、外光はパターン部３１０の下段により吸収されて、外光の遮蔽を増加させることになる。一対の隣接するパターン部３１０等の間の間隔は他の一対の隣接するパターン部３１０等の間の間隔と比較して広くしてもよい。それにより、外光遮断シートの開口率を増加させることができる。
【００４４】
図３Ａ及び図３Ｂは、パネルに形成されたブラックマトリックスの構造に対する実施形態を簡略に図示したものである。
【００４５】
図３Ａを参照すれば、ブラックマトリックス４１０は、下部基板４００に形成された横隔壁に重畳されるように形成されることができる。また、図３Ａに示すように、ブラックマトリックス４１０は、上部基板に形成されたスキャン電極及びサステイン電極と重畳されるように形成されて、スキャン電極及びサステイン電極がブラックマトリックス４１０により遮られるように形成されることができる。
【００４６】
この場合、ブラックマトリックス４１０の幅（ｂ）が２００〜４００μｍであり、互いに隣接したブラックマトリックス間の間隔（ａ）が３００〜６００μｍである時、ディスプレイ映像が適正輝度を有するようにするためのパネルの開口率を確保すると共に、外部で発生する外部光を吸収して反射を減らしてくれる光遮断効率と、上部基板のピュリティ及びコントラストを向上させる効率を最大化することができる。
【００４７】
図３Ｂを参照すれば、ブラックマトリックス４５０は、上部基板に形成されたスキャン電極及びサステイン電極４３０、４４０と離隔して形成されることができる。
【００４８】
この場合には、ブラックマトリックス４１０の幅（ｄ）が７０〜１５０μｍであり、互いに隣接したブラックマトリックス間の間隔（ｃ）が５００〜８００μｍである時、ディスプレイ映像が適正輝度を有するようにするためのパネルの開口率を確保すると共に、外部で発生する外部光を吸収して反射を減らしてくれる光遮断効率と、上部基板のピュリティ及びコントラストを向上させる効率を最大化することができる。
【００４９】
図４Ａ及び図４Ｂは、本発明による外光遮断シートに一列で形成されたパターン部の前面形状に対する一実施形態を図示したものであって、図示したように、パターン部はベース部の上に一列で所定の間隔で形成されることが望ましく、外光遮断シートの上段または下段と一定の角度で斜めに形成される。
【００５０】
図４Ａに示すように、パターン部を斜めに形成することによって、パネルの内部のブラックマトリックス及びブラック層などにより発生するモアレ（Moire）現象を防止することができる。モアレ現象とは、類似する格子形状のパターンが重なりながら発生する低周波のパターンであって、例えば蚊帳を重ねた時に見える波紋パターンがある。プラズマディスプレイパネル、例えば上記パネルに形成されたブラックマトリックス、ブラック層、バス電極、隔壁などと、外光遮断シートのパターン部が重なることによりモアレ現象が発生できることになる。図４Ａ及び図４Ｂに図示されたようなパターン部の形成により上記モアレ現象を減少させることができる。
【００５１】
図３Ａ及び図３Ｂに示すように、ブラックマトリックスは、パネルの下部基板に形成された横隔壁と並んだ方向にパネルの上部基板に形成されるので、ブラックマトリックスは、図４Ａ及び図４Ｂに図示された外光遮断シートの上段または下段と平行する。したがって、図４Ａ及び図４Ｂにおいて、パターン部が外光遮断シートの上段となす角（θ１、θ２、θ３）は、上記パターン部がパネルに形成されたブラックマトリックスとなす角を示す。
【００５２】
外光遮断シートのパターン部がパネルに形成されたブラックマトリックスに対して５度以下の角度で斜めに形成される際、モアレ現象を減少させることができる。パターン部等の形成を容易にし、プラズマディスプレイ装置の視野角が減少することを防止するためには、上記パターン部等は上記ブラックマトリックスに対して約０．１５〜５度の角度で斜めに形成される。
【００５３】
また、パネルに入射される外部光が使用者の頭の上段に存在する場合が多いことを考慮すれば、パターン部とブラックマトリックスとの間の角が１．５〜３．５度である時、モアレ現象を防止すると共に、適正開口率を確保してパネル光の反射効率を増加させることができ、外部光を最も効果的に遮断することができる。
【００５４】
図４Ｂは、図４Ａに図示された外光遮断シートの一部分６００を拡大図示したものであって、一列で形成されたパターン部６１０、６２０、６３０、６４０、６５０、６６０は、互いに平行であることが望ましく、互いに平行でない場合にもパターン部６１０、６２０、６３０、６４０、６５０、６６０とブラックマトリックスとの挟角は、各々上記記載された範囲を有することが望ましい。
【００５５】
図４Ａ及び図４Ｂでは、パターン部が外光遮断シートの右側下段から左側上段方向へ斜めに形成されているが、他の実施形態では、パターン部が外光遮断シートの左側上段から右側下段方向に前述したような角を持って斜めに形成されていることもある。
【００５６】
バス電極と横隔壁は、上記ブラックマトリックスと平行であることが一般的であるので、外光遮断シートのパターン部と上記バス電極または上記横隔壁の間の角を前述したような５度以下、または１．５〜３．５度にすることで、上記パターン部と上記バス電極、または上記横隔壁が重なることにより発生するモアレを減少させることができる。
【００５７】
パターン部等の形成を容易にし、プラズマディスプレイパネルの視界角が減少することを防止するためには、上記パターン部等は上記バス電極または上記横隔壁に対して０．１５〜５度の角度で斜めに形成される。
【００５８】
また、パネルに入射する外部光が略使用者の頭の上に存在するということを考慮する時、適切な開口率を確保すればモアレ現象を減少させることができ、上記パネルから上記光の反射効率を増加させることができる。したがって、上記パターン部と上記バス電極との間の角度、あるいは上記パターン部と上記横隔壁との間の角度が１．５〜３．５度である時、外光を効果的に遮断することができる。
【００５９】
図５Ａ乃至図５Ｆは、本発明による外光遮断シートの構造に対する実施形態を断面図にて図示したものであって、図５Ａに示すように、外光遮断シートはベース部５００及びパターン部５１０を含んでなる。
【００６０】
図５Ａにおいて、外光遮断シートの下段はパネル側であり、上段は外光が入射される使用者側である。外部光源はパネルの上側に位置することが一般的であるので、外光は上側から斜めにパネルに入射されることができる。
【００６１】
上記外光を吸収して遮断し、パネルから放出される可視光を全反射してパネル光の反射率を上げるために、パターン部５１０の屈折率、少なくともパターン部５１０の一部分である斜面の屈折率はベース部５００の屈折率より小さなものが望ましい。
【００６２】
パネルの明室コントラストを低下させる外光は、観察者の頭の上段に存在する場合が多い。図５Ａを参照すれば、スネル（snell）の法則により、外光遮断シートに斜めに入射される外光は、ベース部５００より小さな屈折率を有するパターン部５１０の内部に屈折して吸収される。パターン部３１０の内部に屈折する外光は光吸収粒子により吸収されることができる。
【００６３】
また、ディスプレイのためにパネルから外部に放出される光はパターン部５１０の斜面で全反射されて観察者側である外部に反射されることになる。
【００６４】
前述したように、外光はパターン部５１０に屈折して吸収され、パネル５２０から放出される光はパターン部５１０で全反射される理由は、パネル光がパターン部５１０斜面となす角より外光がパターン部５１０斜面となす角が大きいためである。
【００６５】
したがって、本発明による外光遮断シートは、外光が観察者側に反射されないように外光を吸収し、パネルから放出される光の反射量を上げることによって、ディスプレイ映像の明室コントラストを向上させる。
【００６６】
パネルに入射される外光の角度を考慮して、外光の吸収及びパネル光の全反射を最大化するためには、パターン部５１０の屈折率はベース部５００の屈折率の０．３倍以上１倍未満のものが望ましい。パネルから放出される光がパターン部５１０の斜面で全反射されることを最大化するために、プラズマディスプレイパネルの上下視野角を考慮すれば、パターン部５１０の屈折率は、ベース部５００の屈折率の０．３〜０．８倍であるものが望ましい。
【００６７】
ベース部５００は、光が円滑に透過できるように、透明なプラスチック材質、例えば紫外線（ＵＶ）硬化方式により形成された樹脂（Resin）系列の物質からなるものが望ましくて、パネルの全面を保護する効果を上げるために、硬いガラス（Glass）材質が使われることもできる。
【００６８】
図５Ａを参照すれば、パターン部５１０の形状は三角形であることができ、その以外に種々の形状を有することができる。パターン部５１０はベース部５００より暗い色の物質で形成され、望ましくは黒色の物質からなる。例えば、パターン部５１０は、カーボン（carbon）系列の物質で形成するか、黒色の染料を塗布して外光を吸収する効果を極大化することができる。
【００６９】
また、パターン部５１０は光吸収粒子を含むことができ、光吸収粒子は特定色で着色された樹脂粒子でありうる。光吸収効果を最大化するために、光吸収粒子は黒色で着色されることが望ましい。
【００７０】
光吸収粒子の製造及びパターン部５１０の内部への添加が容易であり、外光を吸収する効果を最大化するために、光吸収粒子の大きさは１μｍ以上でありうる。また、光吸収粒子の大きさが１μｍ以上の場合、パターン部５１０に屈折する外光を効果的に吸収するために、パターン部５１０は、光吸収粒子を１０重量％以上含むことができる。即ち、パターン部５１０の全体重量の１０％以上の重量の光吸収粒子がパターン部２１０に含まれることができる。
【００７１】
外光遮断シートの厚み（Ｔ）が２０〜２５０μｍである時、製造工程が容易であり、適切な光透過率を有することができる。パネルから放出される光が円滑に透過するようにし、外部から入射される光が屈折してパターン部５１０に効果的に吸収及び遮断されるようにし、シートの堅固性を確保するために、外光遮断シートの厚み（Ｔ）は１００〜１８０μｍで形成されることができる。
【００７２】
図５Ａを参照すれば、ベース部５００の上に形成されるパターン部５１０は、三角形の形態を有することができ、より望ましくは二等辺三角形の形態を有することができる。また、パターン部５１０の下段幅（Ｐ１）は１８〜３５μｍで形成されることができ、そのような場合、パネルから発生する光が円滑に使用者側に放出できるための開口率を確保し、外光遮断効率を極大化することができる。
【００７３】
パターン部５１０の高さ（ｈ）は８０〜１７０μｍで形成されて、下段幅（Ｐ１）との関係で、外光の吸収及びパネル光の反射を効果的にすることができる斜面傾きを形成することができ、パターン部５１０の短絡を防止することができる。
【００７４】
パネル光が使用者側に放出されて適正輝度のディスプレイ映像を表示するための開口率を確保し、外光遮断効果及びパネル光反射効率を増加させるための最適のパターン部５１０の斜面傾きを確保するために、互いに隣接した２つのパターン部間の間隔（Ｄ１）は４０〜９０μｍであり、互いに隣接したパターン部の上段間の間隔（Ｄ２）は６０〜１３０μｍであることができる。
【００７５】
上記のような理由により、互いに隣接した２つのパターン部間の間隔（Ｄ１）がパターン部５１０下段幅の１．１〜５倍である時、ディスプレイのための開口率を確保することができる。また、開口率の確保と共に、外光遮断効果及びパネル光反射効率を最適化するためには、互いに隣接した２つのパターン部間の間隔（Ｄ１）がパターン部５１０の下段幅の１．５〜３．５倍であることができる。
【００７６】
パターン部５１０の高さ（ｈ）が互いに隣接した２つのパターン部間の間隔（Ｄ１）の０．８９〜４．２５倍の範囲を有する場合、上側から斜めに入射される外光がパネルに入射されないようにすることができる。また、パターン部５１０の短絡を防止し、パネル光の反射効率を最適化するために、パターン部５１０の高さ（ｈ）が互いに隣接した２つのパターン部間の間隔（Ｄ１）の１．５〜３倍であることができる。
【００７７】
また、互いに隣接した２つのパターン部の上段間の間隔（Ｄ２）が互いに隣接した２つのパターン部の下段間の間隔（Ｄ１）の１〜３．２５倍である時、適正の輝度を有する映像のディスプレイのための開口率を確保することができる。また、パネル光がパターン部５１０の斜面で全反射される反射効率を最適化するために、互いに隣接した２つのパターン部の上段間の間隔（Ｄ２）が互いに隣接した２つのパターン部の下段間の間隔（Ｄ１）の１．２〜２．５倍であることが望ましい。
【００７８】
図５Ｂを参照すれば、パターン部５２０は、左右非対称形状で形成されることができる。即ち、パターン部５２０の左右斜面の面積が相異するか、左右斜面の各々が下段となす角が互いに相異することができる。一般に、外光を発生させる物体は、パネルの上側に位置するので、外光は一定の角度範囲内でパネルの上側からパネルに入射される。したがって、外光吸収効果を増加させて、パネルから放出される光の反射率を増加させるために、パターン部５１０の２つの斜面のうち、外光が入射される上側斜面の傾きを下側斜面の傾きより緩やかにすることができる。即ち、パターン部５１０の２つの斜面のうち、上側斜面の傾きを下側斜面の傾きより小さくすることができる。
【００７９】
図５Ｃを参照すれば、パターン部５３０は、台形状を有することができ、そのような場合、上段の幅（Ｐ２）が下段の幅（Ｐ１）より小さく形成される。また、パターン部５３０上段の幅（Ｐ２）は１０μｍ以下であることができ、それによって、下段幅（Ｐ１）との関係で、外光の吸収及びパネル光の反射を効果的にすることができる斜面傾きを形成することができる。
【００８０】
図５Ｄ乃至図５Ｆに示すように、図５Ａ乃至図５Ｃに図示されたパターン部の形状は、各々左右斜面が曲線の形態を有することができる。また、パターンの上段または下段が曲線の形態を有することができる。
【００８１】
また、図５Ａ乃至図５Ｆに図示されたパターン部の断面形状に対する実施形態において、パターン部の隅部分が所定の曲率を有する曲線形態を有することができ、パターン部の下段の隅部分は外部に拡張される曲線形態を有することもできる。
【００８２】
図６は、本発明による外光遮断シートの構造に対する実施形態を断面図にて図示したものであって、光遮断シートの厚みとパターン部の高さを説明するために図示したものである。
【００８３】
図６を参照すれば、パターン部を含む外光遮断シートの堅固性を確保すると共に、画像を表示するためにパネルから放出される可視光の透過率を確保するために、外光遮断シートの厚み（Ｔ）は１００〜１８０μｍのものが望ましい。
【００８４】
外光遮断シートに備えられるパターン部の高さ（ｈ）が８０〜１７０μｍである時、上記パターン部の製造が最も容易であり、外光遮断シートの適切な開口率を確保することができ、外光遮断効果及びパネルから放出される光の反射効果を最大化することができる。
【００８５】
パターン部の高さ（ｈ）は、外光遮断シートの厚み（Ｔ）によって可変することができる。一般的に、パネルに入射されて明室コントラストの低下に影響を与える外光は、主にパネルの位置より上側に位置することになる。したがって、入射される外光を効果的に遮断するために、パターン部の高さ（ｈ）は外光遮断シートの厚み（Ｔ）に対し一定割合の範囲内の値を有することが望ましい。
【００８６】
図６を参照すれば、パターン部の高さ（ｈ）が増加するほどパターン部の上段部分のベース部の厚みが薄くなって絶縁破壊が発生することができ、パターン部の高さ（ｈ）が減少するほど一定範囲内の角度を有する外光がパネルに入射されて外光遮断が正しく遮断できないことがある。
【００８７】
下記の表１は、外光遮断シートの厚み（Ｔ）とパターン部の高さ（ｈ）によって外光遮断シートの絶縁破壊及び外光遮断効果を実験した結果である。
【００８８】
【表１】
2008203823.tif 000003
【００８９】
表１を参照すれば、外光遮断シートの厚み（Ｔ）が１２０μｍの場合、パターン部の高さ（ｈ）が１１５μｍ以上に形成されれば、パターン部が絶縁破壊される虞があるので、製品の不良率が増加することができる。パターン部の高さ（ｈ）が１１５μｍ以下に形成されれば、パターン部が絶縁破壊される虞がないので、外光遮断シートの不良率を減少させることができる。しかしながら、パターン部の高さが８５μｍ以下に形成される時にはパターン部により外部光が遮断される効率が減少することができ、６０μｍ以下に形成される場合には外光がパネルに入射されることができる。
【００９０】
外光遮断シートの厚み（Ｔ）がパターン部高さ（ｈ）の１．０１〜２．２５倍である時、パターン部の上段部分の絶縁破壊を防止することができ、外光がパネルに入射されることを防止することができる。また、絶縁破壊及び外光のパネル入射を防止すると共に、パネルから放出される光の反射量を増加させ、視野角を確保するためには、外光遮断シートの厚み（Ｔ）がパターン部の高さ（ｈ）の１．０１〜１．５倍であることが望ましい。
【００９１】
下記の表２は、外光遮断シートのパターン部の下段幅（Ｐ１）とパネルの上部基板に形成されるバス電極の幅の割合によってモアレ現象発生の可否及び外光遮断効果を実験した結果であって、バス電極の幅が９０μｍの場合である。
【００９２】
【表２】
2008203823.tif 000004
【００９３】
表２を参照すれば、パターン部下段の幅がバス電極幅の０．２〜０．５倍である時、モアレ現象を減少させると共に、パネルに入射される外光を減少させることができる。また、モアレ現象を防止し、外光を効果的に遮断すると共に、パネル光の放出のための開口率を確保するためには、パターン部の下段の幅がバス電極幅の０．２５〜０．４倍であることが望ましい。
【００９４】
下記の表３は、外光遮断シートのパターン部の下段幅とパネルの下部基板に形成される縦隔壁の幅の割合によってモアレ現象発生の可否及び外光遮断効果を実験した結果であって、縦隔壁の幅が５０μｍの場合である。
【００９５】
【表３】
2008203823.tif 000005
【００９６】
表３を参照すれば、パターン部の下段幅（Ｐ１）が縦隔壁幅の０．３〜０．８倍である時、モアレ現象を減少させると共に、パネルに入射される外光を減少させることができる。また、モアレ現象を防止し、外光を効果的に遮断すると共に、パネル光の放出のための開口率を確保するためには、パターン部の下段幅（Ｐ１）が縦隔壁幅の０．４〜０．６５倍であることが望ましい。
【００９７】
図７Ａ及び図７Ｂは、ＥＭＩ（ElectroMagnetic Interference）遮蔽シート構造に対する一実施形態を図示したものであって、ＥＭＩ遮蔽シートは、ベース部の上に銅（Ｃｕ）などからなる導電性を有する金属パターンがメッシュ（mesh）形態で形成されていることができる。
【００９８】
前述したように、図７Ａ及び図７Ｂにおいて、金属パターンがＥＭＩ遮蔽シートの上段となす角（θ５、θ４）は、上記ＥＭＩ遮蔽シートの金属パターンがパネルに形成されたブラックマトリックスとなす角を示す。
【００９９】
図７Ｂは、図７Ａに図示されたＥＭＩ遮蔽シートの一部分７００を拡大図示したものであって、ＥＭＩ遮蔽シートには、右側上段から左側下段方向に形成された第１メッシュパターン７２０と左側上段から右側下段方向に形成された第２メッシュパターン７１０が互いに交差するように形成される。第１メッシュパターン７２０は、ブラックマトリックスとθ５の角をなし、第２メッシュパターン７１０はブラックマトリックスとθ４の角をなす。また、第１メッシュパターン７２０と第２メッシュパターン７１０はθ８の挟角を持って互いに交差される。
【０１００】
ＥＭＩ遮蔽シートに形成されたパターン７１０、７２０の幅が５〜１５μｍの場合、本発明によるパターンが斜めに形成された外光遮断シートに貼り付けられてモアレ現象を効果的に防止することができ、ＥＭＩ遮断効果を有すると共に、プラズマディスプレイ装置の開口率を十分に確保して、ディスプレイ映像の適正輝度を維持することができる。
【０１０１】
図７Ａ及び図７Ｂに図示されたようなＥＭＩ遮蔽シートは、本発明によるプラズマディスプレイ装置に備えられる外光遮断シートに重畳されて貼り付けられることが望ましい。ＥＭＩ遮蔽シートが貼り付けられた外光遮断シートの構造に対しては、以下図８Ａ及び図８Ｂを参照しつつ詳細に説明する。
【０１０２】
本発明による外光遮断シートに貼り付けられてＥＭＩ遮蔽効果を有すると共に、モアレ現象を減少させるために、ＥＭＩ遮蔽シートの第１メッシュパターン７２０及び第２メッシュパターン７１０がブラックマトリックスとなす角（θ５、θ４）は２０〜６０度であることが望ましい。この場合、第１メッシュパターン７２０と第２メッシュパターン７１０の挟角（θ８）は６０〜１３０度であることができる。
【０１０３】
外光遮断シートに斜めに形成されたパターンによりモアレ現象が除去されるためには、第１メッシュパターン７２０及び第２メッシュパターン７１０がブラックマトリックスとなす角（θ５、θ４）は３０〜５５度であることが望ましい。この場合、第１メッシュパターン７２０と第２メッシュパターン７１０の挟角（θ８）は７０〜１１８度であることができる。
【０１０４】
また、第１メッシュパターン７２０及び第２メッシュパターン７１０がブラックマトリックスとなす角（θ５、θ４）が３５〜４５度である時、互いに交差するパターンの形成が容易であり、プラズマディスプレイ装置の適正開口率を確保することができる。
【０１０５】
図８Ａ及び図８Ｂは、本発明によるＥＭＩ（ElectroMagnetic Interference）遮蔽シートが貼り付けられた外光遮断シートに対する一実施形態を図示したものであって、モアレ現象の防止のためにパターン部が斜めに形成された本発明による外光遮断シート８００に、図７Ａに図示されたようなＥＭＩ遮蔽シート８１０が貼り付けられたものである。
【０１０６】
図８Ｂは、図８Ａに図示された本発明によるＥＭＩ遮蔽シートが貼り付けられた外光遮断シートの一部分８２０、８３０を拡大図示したものであって、図８Ｂに示すように、外光遮断シートのパターン８４０とＥＭＩ遮蔽シートの第１、２メッシュパターン８５０、８６０が重畳される。
【０１０７】
外光遮断シートのパターン８４０とＥＭＩ遮蔽シートの第１メッシュパターン８５０がなす挟角（θ６）が２０〜６０度の場合、ＥＭＩ遮蔽シートが貼り付けられた外光遮断シートがＥＭＩ遮蔽効果を有すると共に、モアレ現象を減少させることができる。
【０１０８】
外光遮断シートがパネルの上段から入射される外部光を遮断し、モアレ現象を効果的に防止するためには、外光遮断シートのパターン８４０とＥＭＩ遮蔽シートの第１メッシュパターン８５０がなす挟角（θ６）が２７〜５３度であるものが望ましい。
【０１０９】
また、パターンの形成の容易性、プラズマディスプレイ装置の適正開口率及び視野角の確保のために、外光遮断シートのパターン８４０とＥＭＩ遮蔽シートの第１メッシュパターン８５０がなす挟角（θ６）は４０〜５０度であるものが望ましい。
【０１１０】
外光遮断シートのパターン８４０とＥＭＩ遮蔽シートの第２メッシュパターン８６０がなす挟角（θ７）が２８〜６５度の場合、ＥＭＩ遮蔽シートが貼り付けられた外光遮断シートがＥＭＩ遮蔽効果を有すると共に、モアレ現象を減少させることができる。
【０１１１】
外光遮断シートがパネルの上段から入射される外部光を遮断し、モアレ現象を効果的に防止するためには、外光遮断シートのパターン８４０とＥＭＩ遮蔽シートの第２メッシュパターン８６０がなす挟角（θ７）が３３〜５８度であるものが望ましい。
【０１１２】
また、パターンの形成の容易性、プラズマディスプレイ装置の適正開口率及び視野角の確保のために、外光遮断シートのパターン８４０とＥＭＩ遮蔽シートの第２メッシュパターン８６０がなす挟角（θ７）は４０〜５０度であるものが望ましい。
【０１１３】
下記の表４は、外光遮断シートのパターン８４０及びＥＭＩ遮蔽シートの第１、２メッシュパターン８５０、８７０の形成された角度によってモアレ現状の発生の可否を実験した結果であって、外光遮断シートのパターン８４０とブラックマトリックスの挟角（θ１）を最適値である２．５度に固定し、ＥＭＩ遮蔽シートの第１、２メッシュパターン８５０、８７０の形成角度を調整したものである。
【０１１４】
下記の表４において、‘○’はモアレ現象が発生したことを意味し、‘△’はモアレ現象が５０％以下に減少したことを意味し、‘×’はモアレ現象が発生しないことを意味する。
【０１１５】
【表４】
2008203823.tif 000006
【０１１６】
表４を参照すれば、ＥＭＩ遮蔽シートの第１メッシュパターン８５０とブラックマトリックスの挟角（θ５）が２５〜６０度である時、モアレ現象が減少されることができ、３０〜５５度である時、モアレ現象が効果的に防止されることができる。また、ＥＭＩ遮蔽シートの第２メッシュパターン８６０とブラックマトリックスの挟角（θ４）が２７．５〜６０度である時、モアレ現象が減少されることができ、３２．５〜５５度である時、モアレ現象が効果的に防止されることができる。
【０１１７】
ＥＭＩ遮蔽シートの第１メッシュパターン８５０と第２メッシュパターン８６０の挟角（θ８）が６０〜１２７．５度である時、モアレ現象が減少されることができ、７０〜１１７．５度である時、モアレ現象が効果的に防止されることができる。
【０１１８】
ＥＭＩ遮蔽シートの第１メッシュパターン８５０と外光遮断シートのパターン８４０の挟角（θ６）が２２．５〜５７．５度である時、モアレ現象が減少されることができ、２７．５〜５２．５度である時、モアレ現象が効果的に防止されることができる。また、ＥＭＩ遮蔽シートの第２メッシュパターン８６０と外光遮断シートのパターン８４０の挟角（θ７）が３０〜６２．５度である時、モアレ現象が減少されることができ、３５〜５７．５度である時、モアレ現象が効果的に防止されることができる。
【０１１９】
図９Ａ乃至図１０Ｂは、本発明による外光遮断シートが適用されたフィルタの構造に対する実施形態を断面図にて図示したものであって、プラズマディスプレイパネルの全面に形成されるフィルタは、ＡＲ／ＮＩＲシート、ＥＭＩ遮蔽シート、外光遮断シート、光特性シートなどを含むことができる。
【０１２０】
図９Ａ及び図９Ｂを参照すれば、ＡＲ／ＮＩＲシート１０１０は、透明なプラスチック材質からなるベースシート１０１３の前面に外部から入射される光が反射されることを防止して、眩しさ現象を減少させる機能があるＡＲ（Anti-Reflection）層１０１１が貼り付けられて、後面にはパネルから放射される近赤外線を遮蔽してリモコンなどのように赤外線を利用して伝えられる信号が正常に伝えられるようにするＮＩＲ（Near Infrared）遮蔽シート１０１２が貼り付けられる。
【０１２１】
ＥＭＩ遮蔽シート１０２０は、透明なプラスチック材質からなるベースシート１０２２の前面にＥＭＩ（Electromagnetic Interference）を遮蔽してパネルから放射されるＥＭＩが外部に放出されることを防止するＥＭＩ遮蔽シート１０２１が貼り付けられる。この際、通常的に、ＥＭＩ遮蔽シート１０２１は、導電性を有する物質を利用してメッシュ（Mesh）構造で形成され、接地が円滑になされるようにするために、画像が表示されないＥＭＩ遮蔽シート１０２０の非有効表示領域には導電性物質が全体的に塗布される。
【０１２２】
通常的に、外部光源は室内でも外部でも観察者の頭の上段に存在する場合が一番多い。このような外部光を効果的に遮断してプラズマディスプレイパネルのブラック映像を一層暗く表現できるようにする外光遮断シート１０３０が貼り付けられる。
【０１２３】
このようなＡＲ／ＮＩＲシート１０１０、ＥＭＩ遮蔽シート１０２０、外光遮断シート１０３０の間には粘着剤１０４０が層をなしているので、各々のシート１０１０、１０２０、１０３０、及びフィルタ１０００がパネルの全面に堅く貼り付けられるようにする。また、各々のシート１０１０、１０２０、１０３０の間に含まれたベースシートの材質はフィルタ１０００製作の容易性を考慮して実質的に同一な材質を使用することが望ましい。
【０１２４】
一方、図９Ａでは、ＡＲ／ＮＩＲシート１０１０、ＥＭＩ遮蔽シート１０２０、外光遮断シート１０３０の順に積層されているが、図９Ｂに示すように、ＡＲ／ＮＩＲシート１０１０、外光遮断シート１０３０、ＥＭＩ遮蔽シート１０２０の順に積層できるように、各シートの積層順序は当業者によって異なるように積層できるはずである。また、図示されたシート１０１０、１０２０、１０３０のうち、少なくともいずれか一層が省略されることもできる。
【０１２５】
図１０Ａ及び図１０Ｂを参照すれば、パネルの全面に形成されるフィルタ１１００は、図９Ａ及び図９Ｂに図示されたようなＡＲ／ＮＩＲシート１１１０、ＥＭＩ遮蔽シート１１３０、及び外光遮断シート１１４０の以外に光特性シート１１２０を更に含むことができる。光特性シート１１２０は、パネルから入射される光の色温度及び輝度特性を改善させ、透明なプラスチック材質からなるベースシート１１２２の前面または後面に所定の染料と粘着剤からなる光特性層１１２１が積層される。
【０１２６】
図９Ａ乃至図１０Ｂに図示されたベースシートのうち、少なくとも一つのベースシートが省略されることもでき、上記ベースシートのうち、どれか一つは、プラスチック材質でない硬いガラス（Glass）が使われてパネルを保護する機能を向上させることができる。上記ガラスはパネルから所定の間隔を置いて離隔して形成されることが望ましい。
【０１２７】
また、本発明によるフィルタは、拡散シートを更に含むことができる。拡散シートは光が均一な明るさを維持するように入射される光を拡散させてくれる役割をする。それによって、拡散シートはパネルから放出される光を均一に拡散させてディスプレイ画面の上下視野角を広げて、外光遮断シートなどに形成されたパターンを隠蔽することができる。また、拡散シートは上下視野角に該当する方向に光を集光して正面輝度を均一にすると共に、向上させることができ、帯電防止性を向上させることができる。
【０１２８】
拡散シートは透過型または反射型拡散フィルムなどが使われることができ、一般的にポリマー（polymer）材料のベースシートに小さなガラス球粒が混合された形態を有することができる。また、拡散シートのベースシートとして高純度アクリル樹脂（ＰＭＭＡ）が利用されることができ、高純度アクリル樹脂（ＰＭＭＡ）を利用する場合、シートの厚みが厚い一方、耐熱性がよく、発熱が多い大型ディスプレイ装置に利用されることができる。
【０１２９】
以上、本発明の望ましい実施形態に対して詳細に記述したが、本発明が属する技術分野で通常の知識を有する者であれば、特許請求範囲に定義された本発明の精神及び範囲を逸脱することなく、様々な変形及び変更が可能であることが分かるはずである。したがって、本発明の今後の実施形態の変更は本発明の技術から外れることができないものである。
【図面の簡単な説明】
【０１３０】
【図１】本発明によるプラズマディスプレイパネル構造に対する一実施形態を示す斜視図である。
【図２Ａ】本発明によるフィルタに備えられる外光遮断シート構造に対する一実施形態を示す断面図である。
【図２Ｂ】本発明によるフィルタに備えられる外光遮断シート構造に対する一実施形態を示す断面図である。
【図３Ａ】パネルに形成されたブラックマトリックスの構造に対する実施形態を簡略に示す図である。
【図３Ｂ】パネルに形成されたブラックマトリックスの構造に対する実施形態を簡略に示す図である。
【図４Ａ】本発明による外光遮断シートに一列で形成されたパターン部の前面形状に対する一実施形態を示す図である。
【図４Ｂ】本発明による外光遮断シートに一列で形成されたパターン部の前面形状に対する一実施形態を示す図である。
【図５Ａ】本発明による外光遮断シートの断面構造に対する実施形態を示す断面図である。
【図５Ｂ】本発明による外光遮断シートの断面構造に対する実施形態を示す断面図である。
【図５Ｃ】本発明による外光遮断シートの断面構造に対する実施形態を示す断面図である。
【図５Ｄ】本発明による外光遮断シートの断面構造に対する実施形態を示す断面図である。
【図５Ｅ】本発明による外光遮断シートの断面構造に対する実施形態を示す断面図である。
【図５Ｆ】本発明による外光遮断シートの断面構造に対する実施形態を示す断面図である。
【図６】外光遮断シートの隣接したパターン部の間の間隔とパターン部の高さの関係を説明するための外光遮断シートの断面図である。
【図７Ａ】ＥＭＩ（ElectroMagnetic Interference）遮蔽シートの構造に対する一実施形態を示す図である。
【図７Ｂ】ＥＭＩ（ElectroMagnetic Interference）遮蔽シートの構造に対する一実施形態を示す図である。
【図８Ａ】本発明によるＥＭＩ遮蔽シートと外光遮断シートが重畳されたフィルタの構造に対する一実施形態を示す図である。
【図８Ｂ】本発明によるＥＭＩ遮蔽シートと外光遮断シートが重畳されたフィルタの構造に対する一実施形態を示す図である。
【図９Ａ】複数のシートを備えるフィルタの構造に対する実施形態を示す断面図である。
【図９Ｂ】複数のシートを備えるフィルタの構造に対する実施形態を示す断面図である。
【図１０Ａ】複数のシートを備えるフィルタの構造に対する実施形態を示す断面図である。
【図１０Ｂ】複数のシートを備えるフィルタの構造に対する実施形態を示す断面図である。
【符号の説明】
【０１３１】
１０    上部基板
１１    スキャン電極
１２、４３０、４４０    サステイン電極
１３    上部誘電体層
１４    保護膜
２０、４００    下部基板
２１    隔壁
２２    アドレス電極
２３    蛍光体層
２４    下部誘電体層
１００、１０００    フィルタ
２００、３００、５００    ベース部
２１０    パターン部
３２０、５２０    パネル
４１０、４５０    ブラックマトリックス
８００    外光遮断シート
８１０    ＥＭＩ遮蔽シート
【図１】
2008203823.tif 000007
【図２Ａ】
2008203823.tif 000008
【図２Ｂ】
2008203823.tif 000009
【図３Ａ】
2008203823.tif 000010
【図３Ｂ】
2008203823.tif 000011
【図４Ａ】
2008203823.tif 000012
【図４Ｂ】
2008203823.tif 000013
【図５Ａ】
2008203823.tif 000014
【図５Ｂ】
2008203823.tif 000015
【図５Ｃ】
2008203823.tif 000016
【図５Ｄ】
2008203823.tif 000017
【図５Ｅ】
2008203823.tif 000018
【図５Ｆ】
2008203823.tif 000019
【図６】
2008203823.tif 000020
【図７Ａ】
2008203823.tif 000021
【図７Ｂ】
2008203823.tif 000022
【図８Ａ】
2008203823.tif 000023
【図８Ｂ】
2008203823.tif 000024
【図９Ａ】
2008203823.tif 000025
【図９Ｂ】
2008203823.tif 000026
【図１０Ａ】
2008203823.tif 000027
【図１０Ｂ】
2008203823.tif 000028